(57)【要約】【課題】座ったまま後方へひっくり返っても安全な座いすを提供する。【解決手段】座部骨格体を内有する座部３と、背部骨格体を内有する背部１を有し、座部骨格体と背部骨格体とを、複数段又は無段階に揺動角度調節可能な枢結具を介して枢結した骨組みを備え、背部１を起立・折畳み自在として全体を開閉自在な座いすに於て、背部１は、外方へ凸状のクッション部材と、背部１の起立状態に於けるクッション部材の背面側を被覆する背面表皮９を備える。背面表皮９に動物の顔を表すパーツ部材10が付設されている。座部３に対して背部１の折畳み状態で、背面表皮９が上方突隆山型である。背部１の起立状態では、座部上面及び背部前面が共働して動物が口を開いた開口状態を示すように座部上面及び背部前面が各々平坦面状に形成されている。【選択図】図４
0003117283.tif 000002
【実用新案登録請求の範囲】
【請求項１】
座部（３）と背部（１）を有し、該背部（１）を起立・折畳み自在として全体を開閉自在な座いすに於て、
上記背部（１）は、外方へ凸状のクッション部材（７）と、上記背部（１）の起立状態に於ける上記クッション部材（７）の背面（８）側を被覆する背面表皮（９）を備え、該背面表皮（９）に動物の顔を表すパーツ部材（10）が付設されていることを特徴とする座いす。
【請求項２】
座部（３）と背部（１）を有し、該背部（１）を起立・折畳み自在として全体を開閉自在な座いすに於て、
上記背部（１）は、外方へ凸状のクッション部材（７）と、上記背部（１）の起立状態に於ける上記クッション部材（７）の背面（８）側を被覆する背面表皮（９）を備え、該背面表皮（９）に動物の顔を表すパーツ部材（10）が付設され、
上記座部（３）に対して上記背部（１）の折畳み状態で、上記背面表皮（９）が上方突隆山型であり、かつ、上記背部（１）の起立状態では、座部上面（11）及び背部前面（12）が共働して動物が口を開いた開口状態を示すように上記座部上面（11）及び背部前面（12）が各々平坦面状に形成されていることを特徴とする座いす。
【請求項３】
座部骨格体（２）を内有する座部（３）と、背部骨格体（４）を内有する背部（１）を有し、上記座部骨格体（２）と上記背部骨格体（４）とを、複数段又は無段階に揺動角度調節可能な枢結具（５）を介して枢結した骨組み（６）を備え、上記背部（１）を起立・折畳み自在として全体を開閉自在な座いすに於て、
上記背部（１）は、外方へ凸状のクッション部材（７）と、上記背部（１）の起立状態に於ける上記クッション部材（７）の背面（８）側を被覆する背面表皮（９）を備え、該背面表皮（９）に動物の顔を表すパーツ部材（10）が付設されていることを特徴とする座いす。
【請求項４】
座部骨格体（２）を内有する座部（３）と、背部骨格体（４）を内有する背部（１）を有し、上記座部骨格体（２）と上記背部骨格体（４）とを、複数段又は無段階に揺動角度調節可能な枢結具（５）を介して枢結した骨組み（６）を備え、上記背部（１）を起立・折畳み自在として全体を開閉自在な座いすに於て、
上記背部（１）は、外方へ凸状のクッション部材（７）と、上記背部（１）の起立状態に於ける上記クッション部材（７）の背面（８）側を被覆する背面表皮（９）を備え、該背面表皮（９）に動物の顔を表すパーツ部材（10）が付設され、
上記座部（３）に対して上記背部（１）の折畳み状態で、上記背面表皮（９）が上方突隆山型であり、かつ、上記背部（１）の起立状態では、座部上面（11）及び背部前面（12）が共働して動物が口を開いた開口状態を示すように上記座部上面（11）及び背部前面（12）が各々平坦面状に形成されていることを特徴とする座いす。
【請求項５】
背部（１）の最大厚さ寸法（Ｔ）を、座部（３）の厚さ寸法（ｔ）の２倍以上に設定した請求項１，２，３又は４記載の座いす。
【考案の詳細な説明】
【技術分野】
【０００１】
本考案は、座いすに関する。
【背景技術】
【０００２】
従来の座いすは、使用しないときに、コンパクトに収納できるように、背部が折畳み自在になっているものがある（例えば、特許文献１参照）。
【０００３】
しかし、背部の後面は、平面状の単調な形状をしており、折畳み状態では単に収納場所をとるのみであった。また、座いすに座った子供などが後方へひっくり返った場合に、衝撃が大きく、怪我をする虞れがあった。さらに、背部の後面は無地もしくは単調な模様があるのみで、面白味に欠けていた。
【特許文献１】特開２００４−１６００６６号公報
【考案の開示】
【考案が解決しようとする課題】
【０００４】
解決しようとする課題は、折畳み状態では単に収納場所をとるのみだという点である。また、座いすに座った子供などが後方へひっくり返った場合に、衝撃が大きく、怪我をする虞れがある点である。さらに、面白味に欠けている点である。
【課題を解決するための手段】
【０００５】
そこで、本考案に係る座いすは、座部と背部を有し、該背部を起立・折畳み自在として全体を開閉自在な座いすに於て、上記背部は、外方へ凸状のクッション部材と、上記背部の起立状態に於ける上記クッション部材の背面側を被覆する背面表皮を備え、該背面表皮に動物の顔を表すパーツ部材が付設されているものである。
【０００６】
また、座部と背部を有し、該背部を起立・折畳み自在として全体を開閉自在な座いすに於て、上記背部は、外方へ凸状のクッション部材と、上記背部の起立状態に於ける上記クッション部材の背面側を被覆する背面表皮を備え、該背面表皮に動物の顔を表すパーツ部材が付設され、上記座部に対して上記背部の折畳み状態で、上記背面表皮が上方突隆山型であり、かつ、上記背部の起立状態では、座部上面及び背部前面が共働して動物が口を開いた開口状態を示すように上記座部上面及び背部前面が各々平坦面状に形成されているものである。
【０００７】
また、座部骨格体を内有する座部と、背部骨格体を内有する背部を有し、上記座部骨格体と上記背部骨格体とを、複数段又は無段階に揺動角度調節可能な枢結具を介して枢結した骨組みを備え、上記背部を起立・折畳み自在として全体を開閉自在な座いすに於て、上記背部は、外方へ凸状のクッション部材と、上記背部の起立状態に於ける上記クッション部材の背面側を被覆する背面表皮を備え、該背面表皮に動物の顔を表すパーツ部材が付設されているものである。
【０００８】
また、座部骨格体を内有する座部と、背部骨格体を内有する背部を有し、上記座部骨格体と上記背部骨格体とを、複数段又は無段階に揺動角度調節可能な枢結具を介して枢結した骨組みを備え、上記背部を起立・折畳み自在として全体を開閉自在な座いすに於て、上記背部は、外方へ凸状のクッション部材と、上記背部の起立状態に於ける上記クッション部材の背面側を被覆する背面表皮を備え、該背面表皮に動物の顔を表すパーツ部材が付設され、上記座部に対して上記背部の折畳み状態で、上記背面表皮が上方突隆山型であり、かつ、上記背部の起立状態では、座部上面及び背部前面が共働して動物が口を開いた開口状態を示すように上記座部上面及び背部前面が各々平坦面状に形成されているものである。
また、背部の最大厚さ寸法を、座部の厚さ寸法の２倍以上に設定したものである。
【考案の効果】
【０００９】
本考案の座いすによれば、折畳み状態で上に座ることができる。また、座ったまま後方へひっくり返っても安全である。さらに、インテリアに楽しい雰囲気を与えることができる。
【考案を実施するための最良の形態】
【００１０】
図１〜図３は、本考案の第１の実施の形態を示す。この座いすは、背部１を起立・折畳み自在として全体が開閉自在に構成されている。図１は、背部１の起立状態（全体が開いた状態）を示す。そして、図２・図３は、背部１の折畳み状態（全体が閉じた状態）を示す。折畳み状態では、図４に示すように、背部１の上に人Ｍが座ることができる。
【００１１】
具体的には、座部骨格体２を内有する座部３と、背部骨格体４を内有する背部１を有する。座部骨格体２及び背部骨格体４は、例えば、スチールパイプから成る。そして、座部骨格体２と背部骨格体４とを、複数段又は無段階に揺動角度調節可能な───水平・起立の２段階に揺動角度調節可能な場合を含む───枢結具５を介して枢結した骨組み６を備える。枢結具５は、例えば、ラチェットから成る。
【００１２】
図５に示すように、背部１は、（全体として）外方───すなわち、全体が閉じた状態での上方───へ凸状のクッション部材７と、背部１の起立状態に於けるクッション部材７（全体）の背面８側を被覆する背面表皮９を備えている。具体的には、座部３に対して背部１の折畳み状態で、背面表皮９が上方突隆山型である。クッション部材７は、例えば、発泡ウレタン、ウレタンチップ加工品（リサイクル資源）、綿等から成る。背面表皮９は、例えば、ポリエステル、綿等から成る。背面表皮９に豚の顔を表すパーツ部材10が付設されている。パーツ部材10は、例えば、目、口、鼻等の形に形成されている。
【００１３】
背部１の最大厚さ寸法Ｔは、座部３の厚さ寸法ｔの２倍以上に設定されている。最大厚さ寸法Ｔが、厚さ寸法ｔの２倍未満の場合、座いすに座った子供などが、後方へひっくり返っても、適度なクッション性が得られない。
【００１４】
図６・図７は、第２の実施の形態を示す。背面表皮９にカバの顔を表すパーツ部材10が付設されている。背部１の起立状態では、座部上面11及び背部前面12（すなわち、背部１の起立状態に於ける背部１の前面）が共働してカバが口を開いた開口状態を示すように座部上面11及び背部前面12が各々平坦面状に形成されている。その他の構成は、第１の実施の形態と同様である。
【００１５】
なお、本考案は、設計変更可能であって、例えば、パーツ部材10は、豚やカバ以外の動物（生物一般を含むものとする）の顔を表すものとするも良い。すなわち、パーツ部材10が、犬、熊、ゴマアザラシ等の顔を表すものであってもも良い。また、背部１の起立状態を背面側から見たときに、動物の目が上側にかつ口が下側になるように、パーツ部材10を配設するも良い。また、骨組み６を具備しない座いすに於て、背面表皮９にパーツ部材10を付設等するも良い。
【００１６】
以上のように、本考案は、座部３と背部１を有し、背部１を起立・折畳み自在として全体を開閉自在な座いすに於て、背部１は、外方へ凸状のクッション部材７と、背部１の起立状態に於けるクッション部材７の背面８側を被覆する背面表皮９を備え、背面表皮９に動物の顔を表すパーツ部材10が付設されているので、折畳み状態で上に座ることができる。また、座いすに座った人Ｍが後方へひっくり返っても安全である。さらに、インテリアに楽しい雰囲気を与えることができる。
【００１７】
また、座部３と背部１を有し、背部１を起立・折畳み自在として全体を開閉自在な座いすに於て、背部１は、外方へ凸状のクッション部材７と、背部１の起立状態に於けるクッション部材７の背面８側を被覆する背面表皮９を備え、背面表皮９に動物の顔を表すパーツ部材10が付設され、座部３に対して背部１の折畳み状態で、背面表皮９が上方突隆山型であり、かつ、背部１の起立状態では、座部上面11及び背部前面12が共働して動物が口を開いた開口状態を示すように座部上面11及び背部前面12が各々平坦面状に形成されているので、折畳み状態で上に座ることができる。また、座いすに座った人Ｍが後方へひっくり返っても安全である。さらに、インテリアに楽しい雰囲気を与えることができる。特に、座いす全体が動物の頭部全体のようであり、楽しい雰囲気になる。
【００１８】
また、座部骨格体２を内有する座部３と、背部骨格体４を内有する背部１を有し、座部骨格体２と背部骨格体４とを、複数段又は無段階に揺動角度調節可能な枢結具５を介して枢結した骨組み６を備え、背部１を起立・折畳み自在として全体を開閉自在な座いすに於て、背部１は、外方へ凸状のクッション部材７と、背部１の起立状態に於けるクッション部材７の背面８側を被覆する背面表皮９を備え、背面表皮９に動物の顔を表すパーツ部材10が付設されているので、折畳み状態で上に座ることができる。また、座いすに座った人Ｍが後方へひっくり返っても安全である。さらに、インテリアに楽しい雰囲気を与えることができる。
【００１９】
また、座部骨格体２を内有する座部３と、背部骨格体４を内有する背部１を有し、座部骨格体２と背部骨格体４とを、複数段又は無段階に揺動角度調節可能な枢結具５を介して枢結した骨組み６を備え、背部１を起立・折畳み自在として全体を開閉自在な座いすに於て、背部１は、外方へ凸状のクッション部材７と、背部１の起立状態に於けるクッション部材７の背面８側を被覆する背面表皮９を備え、背面表皮９に動物の顔を表すパーツ部材10が付設され、座部３に対して背部１の折畳み状態で、背面表皮９が上方突隆山型であり、かつ、背部１の起立状態では、座部上面11及び背部前面12が共働して動物が口を開いた開口状態を示すように座部上面11及び背部前面12が各々平坦面状に形成されているので、折畳み状態で上に座ることができる。また、座いすに座った人Ｍが後方へひっくり返っても安全である。さらに、インテリアに楽しい雰囲気を与えることができる。特に、座いす全体が動物の頭部全体のようであり、楽しい雰囲気になる。
【００２０】
また、背部１の最大厚さ寸法Ｔを、座部３の厚さ寸法ｔの２倍以上に設定したので、従来にはない背部１のクッション性を実現することができる。
【図面の簡単な説明】
【００２１】
【図１】本考案の第１の実施の形態を示す斜視図である。
【図２】側面図である。
【図３】平面図である。
【図４】使用状態を示す側面図である。
【図５】断面側面図である。
【図６】第２の実施の形態を示す平面図である。
【図７】斜視図である。
【符号の説明】
【００２２】
１  背部
２  座部骨格体
３  座部
４  背部骨格体
５  枢結具
６  骨組み
７  クッション部材
８  背面
９  背面表皮
10  パーツ部材
11  座部上面
12  背部前面
Ｔ  最大厚さ寸法
ｔ  厚さ寸法
【図１】
0003117283.tif 000003
【図２】
0003117283.tif 000004
【図３】
0003117283.tif 000005
【図４】
0003117283.tif 000006
【図５】
0003117283.tif 000007
【図６】
0003117283.tif 000008
【図７】
0003117283.tif 000009